(57)【要約】    【課題】泥棒等の好ましくない不審者の識別機能および当該識別の報知機能を備える。    【解決手段】玄関に居る人物による呼出操作、または管理サーバ４からの録画要求を検出した玄関子機１のカメラ１０４にて撮像された映像であり圧縮部１０５を経由して圧縮された後に子機記憶部１０６に記憶させた映像信号を、無線送信部１１０から管理サーバの無線受信部４０１へと無線で送信する。また、管理サーバの比較部４０５では、無線受信部を経由して受信された後に記憶部４０３に記憶された映像信号と顔データ記憶部４０４に予め記憶されている泥棒等の好ましくない不審者の顔データとを比較し、その比較結果が一致した場合には、居室親機２の報知部２０１、２０５、外部機器３および当該管理サーバの報知部４０６、４０７にてそれぞれ警報発報を行う。  【選択図】図１
2007208533.tif 000002
【特許請求の範囲】
【請求項１】
カメラ（１０４）を有する玄関子機（１）と、前記玄関子機にて呼出操作を行った人物からの呼び出しが報知され、前記カメラにて撮像された映像を出画するモニタ（２０５）を有し前記呼び出しに応答して通話を成立させる居室親機（２）とを設け、
前記玄関子機は、前記カメラにて撮像された映像を圧縮するための圧縮部（１０５）と、前記圧縮された映像を記録するための子機記憶部（１０６）と、前記記録された映像信号を無線で送信するための無線送信部（１１０）とを備え、
前記無線送信部から送信された前記映像信号を無線で受信するための無線受信部（４０１）と、前記受信された映像信号を記録するための記憶部（４０３）とを有する管理サーバ（４）を備えることを特徴とするインターホンシステム。
【請求項２】
カメラ（１０４）を有する玄関子機（１）と、前記玄関子機にて呼出操作を行った人物からの呼び出しが報知され、前記カメラにて撮像された映像を出画するモニタ（２０５）を有し前記呼び出しに応答して通話を成立させる居室親機（２）とを設け、
前記玄関子機へ録画要求信号を無線で送信するための無線送信部（４００）を有する管理サーバ（４）を備え、
前記玄関子機は、前記カメラにて撮像された映像を圧縮するための圧縮部（１０５）と、前記圧縮された映像を記録するための子機記憶部（１０６）と、前記記録された映像信号を無線で送信するための無線送信部（１１０）と、前記録画要求信号を無線で受信するための無線受信部（１１１）と、前記受信された録画要求信号に応じて前記記録された映像信号を前記無線送信部により無線で送信するための子機ＣＰＵ（１１３）とを備えることを特徴とするインターホンシステム。
【請求項３】
前記管理サーバは、泥棒等の好ましくない不審者の顔データが予め記憶された顔データ記憶部（４０４）と、前記記憶部に記憶された前記映像信号と前記顔データ記憶部に記憶された前記顔データとを比較するための比較部（４０５）と、前記比較部にて行われた比較の結果内容が一致したことを報知するための報知部（４０６、４０７）とを備えることを特徴とする請求項１または請求項２記載のインターホンシステム。
【請求項４】
前記管理サーバは、前記比較部にて行われた比較の結果内容が一致した旨の制御信号を前記玄関子機に送信するための無線送信部（４００）を備え、
前記玄関子機は、前記管理サーバの無線送信部から送信された前記制御信号を無線で受信するための無線受信部（１１１）を備え、
前記居室親機は、前記制御信号を受信して前記管理サーバの比較部にて行われた比較の結果内容が一致したことを報知するための報知部（２０１、２０５）を備えることを特徴とする請求項３記載のインターホンシステム。
【請求項５】
前記管理サーバは、前記比較部にて行われた比較の結果内容が一致した旨の制御信号を外部機器（３）に送信するための送受信部（４０８）を備えることを特徴とする請求項３記載のインターホンシステム。
【発明の詳細な説明】
【技術分野】
【０００１】
本発明はインターホンシステムに係り、特に、泥棒等の好ましくない不審者の識別機能および当該識別の報知機能が備えられたインターホンシステムに関する。
【背景技術】
【０００２】
従来から、この種のインターホンシステムとして、緊急時に緊急通報の操作を行った通報者および通報場所の特定が可能な緊急通報装置が開示されている（例えば、特許文献１を参照。）。
【０００３】
この緊急通報装置によれば、複数の子機に無線ネットワークを構成する無線ネットワーク端末がそれぞれ搭載されることにより、この無線ネットワーク端末にて通報データが受信されたとき、マルチホップ接続された無線ネットワークを介して次子機の無線ネットワーク端末へと通報データを順次転送して予め測定された最短時間の転送経路の無線ネットワーク端末から所定の通報機関へと通報を行うことができる。また、緊急通報の操作を行った通報者から最初に通報データを受信した子機は、この子機に接続されるインターホン親機にて通報音を放音させることができる。さらに、緊急通報の操作を行った通報者から最初に通報データを受信した子機は、通報者の映像をカメラにて撮像することができ、この映像はインターホン親機に出画される。
【０００４】
【特許文献１】特開２００５−７９６８７号公報（段落番号「００３１」乃至「００６０」、第１図、第２図）
【発明の開示】
【発明が解決しようとする課題】
【０００５】
しかしながら、背景技術に記載した特許文献１の緊急通報装置によれば、呼出操作を行った人物の識別は可能である一方、この人物が泥棒等の好ましくない不審者であった場合、取り締まることができなかった。
【０００６】
本発明は、この難点を解消するためになされたもので、玄関に居る人物による呼出操作、または管理サーバからの録画要求を検出した玄関子機のカメラにて撮像された人物の映像と泥棒等の好ましくない不審者の顔データとの照合を行い、一致した場合には警報発報を行うことにより、防犯性を高めたインターホンシステムを提供することを目的としている。
【課題を解決するための手段】
【０００７】
前述の目的を達成するため、本発明の第１の態様であるインターホンシステムは、カメラを有する玄関子機と、玄関子機にて呼出操作を行った人物からの呼び出しが報知され、カメラにて撮像された映像を出画するモニタを有し呼び出しに応答して通話を成立させる居室親機とを設けたものである。玄関子機は、カメラにて撮像された映像を圧縮するための圧縮部と、圧縮された映像を記録するための子機記憶部と、記録された映像信号を無線で送信するための無線送信部とを備えたものであり、無線送信部から送信された映像信号を無線で受信するための無線受信部と、受信された映像信号を記録するための記憶部とを有する管理サーバを備えている。
【０００８】
また、本発明の第２の態様であるインターホンシステムは、カメラを有する玄関子機と、玄関子機にて呼出操作を行った人物からの呼び出しが報知され、カメラにて撮像された映像を出画するモニタを有し呼び出しに応答して通話を成立させる居室親機とを設けたものであり、玄関子機へ録画要求信号を無線で送信するための無線送信部を有する管理サーバを備えている。玄関子機は、カメラにて撮像された映像を圧縮するための圧縮部と、圧縮された映像を記録するための子機記憶部と、記録された映像信号を無線で送信するための無線送信部と、録画要求信号を無線で受信するための無線受信部と、受信された録画要求信号に応じて記録された映像信号を無線送信部により無線で送信するための子機ＣＰＵとを備えたものである。
【０００９】
また、本発明の第３の態様であるインターホンシステムは、本発明の第１の態様または第２の態様において、管理サーバは、泥棒等の好ましくない不審者の顔データが予め記憶された顔データ記憶部と、記憶部に記憶された映像信号と顔データ記憶部に記憶された顔データとを比較するための比較部と、比較部にて行われた比較の結果内容が一致したことを報知するための報知部とを備えたものである。
【００１０】
また、本発明の第４の態様であるインターホンシステムは、本発明の第３の態様において、管理サーバは、比較部にて行われた比較の結果内容が一致した旨の制御信号を玄関子機に送信するための無線送信部を備えたものである。玄関子機は、管理サーバの無線送信部から送信された制御信号を無線で受信するための無線受信部を備えたものである。居室親機は、制御信号を受信して管理サーバの比較部にて行われた比較の結果内容が一致したことを報知するための報知部を備えたものである。
【００１１】
また、本発明の第５の態様であるインターホンシステムは、本発明の第３の態様において、管理サーバは、比較部にて行われた比較の結果内容が一致した旨の制御信号を外部機器に送信するための送受信部を備えたものである。
【発明の効果】
【００１２】
本発明のインターホンシステムによれば、玄関に居る人物による呼出操作、または管理サーバからの録画要求を検出した玄関子機のカメラにて撮像された映像であり圧縮部を経由して圧縮された後に子機記憶部に記憶させた映像信号を、無線送信部から管理サーバの無線受信部へと無線で送信することができる。また、管理サーバの比較部では、無線受信部を経由して受信された後に記憶部に記憶された映像信号と顔データ記憶部に予め記憶されている泥棒等の好ましくない不審者の顔データとを比較し、その比較結果が一致した場合には、居室親機の報知部、外部機器および当該管理サーバの報知部にてそれぞれ警報発報を行うことができる。
【００１３】
これにより、特に、管理サーバにて警報発報を確認可能な警備会社、管理会社等の人物（社員）にとっては、玄関先まで赴き不審者に対する迅速な取り締まりが可能となり、防犯性が高められる。また、住戸内に在室中の居住者にとっては、呼出操作を行った玄関に居る人物が泥棒等の好ましく不審者でないことを確認した場合にのみ応答することができ、応答時における防犯性が高められる。
【発明を実施するための最良の形態】
【００１４】
以下、本発明のインターホンシステムを適用した最良の実施の形態例について、図面を参照して説明する。
【００１５】
図１は、本発明の実施例によるインターホンシステムの具体的な構成を示すブロック図である。
【００１６】
図１に示すインターホンシステムには、玄関に設置される玄関子機１と、住戸内に設置され子機／親機ラインＬ1を経由して接続された玄関子機１との間で有線による通信を行うための居室親機２と、例えば、住戸内を不在にしている外出中の居住者により携行される携帯電話、携帯情報端末等に通報を行うための外部機器３と、玄関子機１との間で無線による通信およびサーバ／外部機器ラインＬ2を経由して接続された外部機器３との間で有線による通信をそれぞれ行うための例えば、警備会社、管理会社等に設置される管理サーバ４とが設けられている。
【００１７】
また、玄関子機１には、操作部（以下、子機操作部という。）１００、マイク（以下、子機マイクという。）１０１、スピーカ（以下、子機スピーカという。）１０２、通話部（以下、子機通話部という。）１０３、カメラ１０４、圧縮部１０５、記憶部（以下、子機映像記憶部という。）１０６、伸張部１０７、変調部１０８、送受信部（以下、子機送受信部という。）１０９、無線送信部（以下、子機無線送信部という。）１１０、無線受信部（以下、子機無線受信部という。）１１１、アンテナ（以下、子機アンテナという。）１１２、ＣＰＵ（Central Processing Unit、以下、子機ＣＰＵという。）１１３が備えられている。
【００１８】
この玄関子機１において、操作部１００は、玄関に居る人物、例えば、来訪者が住戸内に在室中の居住者を呼び出すために操作するものである。この操作部１００としては、例えば、呼出ボタン、タッチパネル等が好適とされる。
【００１９】
子機マイク１０１および子機スピーカ１０２は、呼出操作を行った人物が居住者との間で通話を成立させるにあたり、通話音声を入出力（送受信）するためのものである。
【００２０】
子機通話部１０３は、子機マイク１０１および子機スピーカ１０２にて入出力（送受信）される通話音声であり電気信号に信号処理された音声信号を例えば、４線／２線変換、２線／４線変換、増幅等するためのものである。
【００２１】
カメラ１０４は、呼出操作を行った人物の映像や玄関の周囲近傍の映像を撮像するためのものである。このカメラ１０４としては、例えば、ＣＣＤ（Charge Coupled Devices）、ＣＭＯＳ（Complementary Metal Oxide Semiconductor）等の各種の撮像素子が好適とされる。
【００２２】
圧縮部１０５は、カメラ１０４にて撮像された映像であり電気信号に信号処理された映像信号を圧縮するためのものである。
【００２３】
子機映像記憶部１０６は、圧縮部１０５を経由して圧縮された映像信号を記憶するためのものである。この子機映像記憶部１０６としては、例えば、例えば、ＲＡＭ（Random Access Memory）、ＥＥＰＲＯＭ（Electrically Erasable Programmable Read-Only Memory）等の各種の記憶媒体が好適とされる。
【００２４】
伸張部１０７は、子機映像記憶部１０６に記憶された映像信号を伸張するためのものである。
【００２５】
変調部１０８は、伸張部１０７を経由して伸張された映像信号をＦＭ（Frequency Modulation）変調するためのものである。
【００２６】
子機送受信部１０９は、子機通話部１０３および子機／親機ラインＬ1の間の信号伝送路（通話路）、変調部１０８から子機／親機ラインＬ1への信号伝送路、子機ＣＰＵ１１３および子機／親機ラインＬ1の間の信号伝送路をそれぞれ形成するためのものである。
【００２７】
子機無線送信部１１０は、子機映像記憶部１０６に記憶された映像信号を無線信号に変換するように信号処理を行うためのものである。
【００２８】
子機無線受信部１１１は、子機アンテナ１１２を経由して受信される無線信号の録画要求信号を電気信号に変換するように信号処理を行うためのものである。
【００２９】
子機アンテナ１１２は、子機無線送信部１１０および子機無線受信部１１１と管理サーバ４の後述するアンテナ４０２との間の無線による信号伝送路を形成するためのものである。この子機アンテナ１１２としては、例えば、ダイバーシティアンテナ等が好適とされる。
【００３０】
子機ＣＰＵ１１３は、当該玄関子機の構成各部をそれぞれ制御するためのものである。
【００３１】
また、居室親機２には、操作部（以下、親機操作部という。）２００、スピーカ（以下、親機スピーカという。）２０１、マイク（以下、親機マイクという。）２０２、通話部（以下、親機通話部という。）２０３、復調部２０４、モニタ（以下、親機モニタという。）２０５、送受信部（以下、親機送受信部という。）２０６、ＣＰＵ（以下、親機ＣＰＵという。）２０７が備えられている。
【００３２】
この居室親機２において、親機操作部２００は、玄関に居る人物による玄関子機１からの呼び出しに居住者が応答するための操作や玄関子機１の子機映像記憶部１０６に記憶された映像を読み出して親機モニタ２０５に出画させるための出画操作等が行われるものである。この親機操作部２００としては、例えば、通話ボタン、録画再生ボタン、タッチパネル等が好適とされる。
【００３３】
親機スピーカ２０１は、玄関に居る人物による玄関子機１からの呼び出しがある旨の呼出音や音声メッセージ等を放音するとともに、居住者が玄関に居る人物との間で通話を成立させるにあたり、通話音声を出力（受信）するためのものである。なお、親機スピーカ２０１は、前述の呼出報知機能の他に、後述する管理サーバ４の比較部４０５にて行われる比較の結果内容として、一致が検出された場合において、その旨の警報音や音声メッセージ等を鳴動することもできる。
【００３４】
親機マイク２０２は、居住者が玄関に居る人物との間で通話を成立させるにあたり、通話音声を入力（送信）するためのものである。
【００３５】
親機通話部２０３は、親機マイク２０２および親機スピーカ２０１にて入出力（送受信）される通話音声であり電気信号に信号処理された音声信号を例えば、４線／２線変換、２線／４線変換、増幅等するためのものである。
【００３６】
復調部２０４は、玄関子機１から伝送されてくるＦＭ変調された映像信号を復調するためのものである。
【００３７】
親機モニタ２０５は、復調部２０４を経由して復調された映像信号をもとに、玄関子機１のカメラ１０４にて撮像された映像、すなわち、玄関に居る人物の映像や玄関の周囲近傍の映像を出画するためのものである。この親機モニタ２０５としては、例えば、ＬＣＤ（Liquid Crystal Display）、有機ＥＬ（Electro Luminescence）ディスプレイ等の各種のディスプレイが好適とされる。なお、親機モニタ２０５は、前述の映像出画機能の他に、玄関に居る人物による玄関子機１からの呼び出しがある旨の呼出メッセージや絵データ等、後述する管理サーバ４の比較部４０５にて行われる比較の結果内容として、一致が検出された場合において、その旨の警報メッセージや絵データ等を表示することもできる。
【００３８】
親機送受信部２０６は、親機通話部２０３および子機／親機ラインＬ1の間の信号伝送路（通話路）、子機／親機ラインＬ1から復調部２０４への信号伝送路、親機ＣＰＵ２０７および子機／親機ラインＬ1の間の信号伝送路をそれぞれ形成するためのものである。
【００３９】
親機ＣＰＵ２０７は、当該居室親機の構成各部をそれぞれ制御するためのものである。
【００４０】
さらに、管理サーバ４には、無線送信部（以下、サーバ無線送信部という。）４００、無線受信部（以下、サーバ無線受信部という。）４０１、アンテナ（以下、サーバアンテナという。）４０２、記憶部（以下、サーバ映像記憶部という。）４０３、顔データ記憶部４０４、比較部４０５、スピーカ（以下、サーバスピーカという。）４０６、モニタ（以下、サーバモニタという。）４０７、送受信部（以下、サーバ送受信部という。）４０８、ＣＰＵ（以下、サーバＣＰＵという。）４０９が備えられている。
【００４１】
この管理サーバ４において、サーバ無線送信部４００は、サーバＣＰＵ４０９にて生成される電気信号の録画要求信号を無線信号に変換するように信号処理を行うためのものである。
【００４２】
サーバ無線受信部４０１は、サーバアンテナ４０２を経由して受信される無線信号の映像信号を電気信号に変換するように信号処理を行うためのものである。
【００４３】
サーバアンテナ４０２は、サーバ無線送信部４００およびサーバ無線受信部４０１と玄関子機１の子機アンテナ１１２との間の無線による信号伝送路を形成するためのものである。このサーバアンテナ４０２としては、例えば、ダイバーシティアンテナ等が好適とされる。
【００４４】
サーバ映像記憶部４０３は、サーバ無線受信部４０１を経由して受信された映像信号を記憶するためのものである。このサーバ映像記憶部４０３としては、例えば、ＲＡＭ、ＥＥＰＲＯＭ等の各種の記憶媒体が好適とされる。
【００４５】
顔データ記憶部４０４は、泥棒等の好ましくない不審者を判別するために当該不審者の顔データが予め記憶されるものである。この顔データ記憶部４０４としては、例えば、ＲＡＭ、ＥＥＰＲＯＭ等の各種の記憶媒体が好適とされる。
【００４６】
比較部４０５は、サーバ映像記憶部４０３から読み出された後に伸張される映像信号と顔データ記憶部４０４に予め記憶されている不審者の顔データとを比較するためのものである。
【００４７】
サーバスピーカ４０６は、比較部４０５にて行われた比較の結果内容として、一致が検出された場合において、その旨の警報音や音声メッセージ等を鳴動するためのものである。
【００４８】
サーバモニタ４０７は、比較部４０５にて行われた比較の結果内容として、一致が検出された場合において、その旨の警報メッセージや絵データ等を表示するためのものである。このサーバモニタ４０７としては、例えば、ＬＣＤ、有機ＥＬディスプレイ等の各種のディスプレイが好適とされる。
【００４９】
サーバ送受信部４０８は、サーバＣＰＵ４０９およびサーバ／外部機器ラインＬ2の間の信号伝送路を形成するためのものである。
【００５０】
サーバＣＰＵ４０９は、当該管理サーバの構成各部をそれぞれ制御するためのものである。
【００５１】
なお、外部機器３についての具体的な構成の図示および説明は省略するものとする。
【００５２】
このように構成された本発明の実施例によるインターホンシステムにおいて、以下、具体的な動作について説明する。
【００５３】
玄関に居る人物が玄関子機１の子機操作部１００を使用して所定の呼出操作（詳述せず。）を行うと、この操作を検出した子機ＣＰＵ１１３にて呼出信号が生成される。また、子機ＣＰＵ１１３にて生成された呼出信号は、子機送受信部１０９、子機／親機ラインＬ1、居室親機２の親機送受信部２０６を経由して親機ＣＰＵ２０７に伝送される。
【００５４】
居室親機２の親機ＣＰＵ２０７は、伝送されてきた呼出信号を検出すると、玄関に居る人物による玄関子機１からの呼び出しがあることを確認し、その旨の呼出音や音声メッセージ等を生成して親機スピーカ２０１から放音させるとともに、同様な内容の呼出メッセージや絵データ等を生成して親機モニタ２０５に表示させることにより、呼出報知を行うことができる。また、親機ＣＰＵ２０７は、自親機に動作電源として供給されている直流電源を玄関子機１の構成各部にそれぞれ供給することができる（詳述せず。）。
【００５５】
次に、居室親機２からの直流電源を動作電源として受電した玄関子機１において、カメラ１０４は、呼出操作を行った人物の映像や玄関の周囲近傍の映像の撮像を開始する。このカメラ１０４にて撮像された映像は、圧縮部１０５を経由して映像圧縮信号に信号処理された後、子機映像記憶部１０６に一時的に記憶される。また、子機映像記憶部１０６に記憶された映像圧縮信号は、伸張部１０７を経由して伸張された後、変調部１０８に伝送されるとともに、子機無線送信部１１０に送出される。
【００５６】
玄関子機１の変調部１０８は、伝送されてきた信号を映像変調信号にＦＭ変調した後、子機送受信部１０９、子機／親機ラインＬ1、居室親機２の親機送受信部２０６を経由して復調部２０４に送出する。また、子機無線送信部１１０は、伝送されてきた映像圧縮信号を無線信号に信号処理した後、子機アンテナ１１２から管理サーバ４のサーバアンテナ４０２に無線で送信する。
【００５７】
居室親機２の復調部２０４は、伝送されてきた映像変調信号を復調して親機モニタ２０５に送出することにより、玄関子機１のカメラ１０４にて撮像された映像、すなわち、呼出操作を行った人物の映像や玄関の周囲近傍の映像を親機モニタ２０５に出画させることができる。
【００５８】
管理サーバ４のサーバ無線受信部４０１は、サーバアンテナ４０２を経由して受信された無線信号である映像圧縮信号を電気信号に信号処理した後、サーバ映像記憶部４０３に一時的に記憶させる。
【００５９】
管理サーバ４の比較部４０５は、サーバ映像記憶部４０３に記憶された映像圧縮信号であり伸張させた映像信号と顔データ記憶部４０４に予め記憶されている不審者の顔データとを比較し、その比較の結果内容をサーバＣＰＵ４０９に送出する。
【００６０】
管理サーバ４のサーバＣＰＵ４０９は、比較部４０５にて行われた比較の結果内容として一致を検出した場合には、玄関子機１の子機操作部１００にて呼出操作を行った人物が泥棒等の好ましくない不審者であることを確認し、その旨の警報音や音声メッセージ等を生成してサーバスピーカ４０６から鳴動させるとともに、同様な内容の警報メッセージや絵データ等を生成してサーバモニタ４０７に表示させることにより、警報発報を行うことができる。また、サーバＣＰＵ４０９は、比較の結果内容が一致した旨の制御信号（以下、第１の制御信号という。）を生成する。この第１の制御信号は、サーバＣＰＵ４０９からサーバ送受信部４０８、サーバ／外部機器ラインＬ2を経由して外部機器３に伝送されるとともに、サーバ無線送信部４００に送出される。
【００６１】
外部機器３は、伝送されてきた第１の制御信号を検出すると、玄関子機１の子機操作部１００にて呼出操作を行った人物が泥棒等の好ましくない不審者であることを確認し、携帯電話、携帯情報端末等に通報を行うことができる。
【００６２】
管理サーバ４のサーバ無線送信部４００は、伝送されてきた第１の制御信号を無線信号に信号処理した後、サーバアンテナ４０２から玄関子機１の子機アンテナ１１２に無線で送信する。
【００６３】
玄関子機１の子機無線受信部１１１は、子機アンテナ１１２を経由して受信された無線信号である第１の制御信号を電気信号に信号処理する。この第１の制御信号は、子機無線受信部１１１から子機ＣＰＵ１１３、子機送受信部１０９、子機／親機ラインＬ1、居室親機２の親機送受信部２０６を経由して親機ＣＰＵ２０７に伝送される。
【００６４】
居室親機２の親機ＣＰＵ２０７は、伝送されてきた第１の制御信号を検出すると、玄関子機１の子機操作部１００にて呼出操作を行った玄関に居る人物が泥棒等の好ましくない不審者であることを確認し、その旨の警報音や音声メッセージ等を親機スピーカ２０１から鳴動させるとともに、同様な内容の警報メッセージや絵データ等を親機モニタ２０５に表示させることにより、警報発報を行うことができる。
【００６５】
前述までの説明から明らかなように、玄関子機１の子機操作部１００にて呼出操作を行った玄関に居る人物が泥棒等の好ましくない不審者である旨の警報について、居室親機２、外部機器３および管理サーバ４にてそれぞれ発報することができる。これにより、特に、管理サーバ４にて警報発報を確認可能な警備会社、管理会社等の人物（社員）にとっては、玄関先まで赴き不審者に対する迅速な取り締まりが可能となり、防犯性が高められる。
【００６６】
また、住戸内に在室中の居住者にとっては、玄関子機１の子機操作部１００にて呼出操作を行った玄関に居る人物が泥棒等の好ましく不審者でないことを確認した場合にのみ応答することができ、応答時における防犯性が高められる。
【００６７】
次に、玄関子機１が設置された玄関の周囲近傍の映像を録画するにあたり、外部機器３の使用者、当該外部機器からの通報を受信／確認した携帯電話、または携帯情報端末等の使用者、管理サーバ４の使用者による所定の録画要求操作（詳述せず。）を検出したサーバＣＰＵ４０９は、録画要求信号を生成してサーバ無線送信部４００に送出する。
【００６８】
管理サーバ４のサーバ無線送信部４００は、伝送されてきた録画要求信号を無線信号に信号処理した後、サーバアンテナ４０２から玄関子機１の子機アンテナ１１２に無線で送信する。
【００６９】
玄関子機１の子機無線受信部１１１は、子機アンテナ１１２を経由して受信された無線信号である録画要求信号を電気信号に信号処理する。この録画要求信号は、子機無線受信部１１１から子機ＣＰＵ１１３に送出される。
【００７０】
玄関子機１の子機ＣＰＵ１１３は、伝送されてきた録画要求信号を検出すると、カメラ１０４にて撮像され、圧縮部１０５を経由して圧縮された映像圧縮信号を子機映像記憶部１０６に記憶、すなわち、録画させることができる。また、子機映像記憶部１０６に記憶された映像圧縮信号は、子機無線送信部１１０に送出される。
【００７１】
玄関子機１の子機無線送信部１１０は、伝送されてきた映像圧縮信号を無線信号に信号処理した後、子機アンテナ１１２から管理サーバ４のサーバアンテナ４０２に無線で送信する。
【００７２】
管理サーバ４のサーバ無線受信部４０１は、サーバアンテナ４０２を経由して受信された無線信号である映像圧縮信号を電気信号に信号処理した後、サーバ映像記憶部４０３に一時的に記憶させる。
【００７３】
管理サーバ４の比較部４０５は、サーバ映像記憶部４０３に記憶された映像圧縮信号であり伸張させた映像信号と顔データ記憶部４０４に予め記憶されている不審者の顔データとを比較し、その比較の結果内容をサーバＣＰＵ４０９に送出する。
【００７４】
管理サーバ４のサーバＣＰＵ４０９は、比較部４０４にて行われた比較の結果内容として一致を検出した場合には、玄関子機１の子機映像記憶部１０６に記憶されている録画映像の人物が泥棒等の好ましくない不審者であることを確認し、その旨の警報音や音声メッセージ等を生成してサーバスピーカ４０６から鳴動させるとともに、同様な内容の警報メッセージや絵データ等をサーバモニタ４０７に表示させることにより、警報発報を行うことができる。また、サーバＣＰＵ４０９は、比較の結果内容が一致した旨の制御信号（以下、第２の制御信号という。）を生成する。この第２の制御信号は、前述の第１の制御信号と同一の信号伝送路を経由して、外部機器３と居室親機２の親機ＣＰＵ２０７とにそれぞれ伝送される。
【００７５】
外部機器３は、伝送されてきた第２の制御信号を検出すると、玄関子機１の子機映像記憶部１０６に記憶されている録画映像の人物が泥棒等の好ましくない不審者であることを確認し、携帯電話、携帯情報端末等に通報を行うことができる。
【００７６】
居室親機２の親機ＣＰＵ２０７は、伝送されてきた第２の制御信号を検出すると、玄関子機１の子機映像記憶部１０６に記憶されている録画映像の人物が泥棒等の好ましくない不審者であることを確認し、その旨の警報音や音声メッセージ等を親機スピーカ２０１から鳴動させるとともに、同様な内容の警報メッセージや絵データ等を親機モニタ２０５に表示させることにより、警報発報を行うことができる。
【００７７】
前述までの説明から明らかなように、玄関子機１の子機映像記憶部１０６に記憶されている録画映像の人物が泥棒等の好ましくない不審者であるである旨の警報について、居室親機２、外部機器３および管理サーバ４にてそれぞれ発報することができる。これにより、特に、管理サーバ４にて警報発報を確認可能な警備会社、管理会社等の人物（社員）にとっては、玄関先まで赴き不審者に対する迅速な取り締まりが可能となり、防犯性が高められる。
【００７８】
また、外出先から住戸内に帰宅した居住者や警備会社、管理会社等の人物（社員）等は、居室親機２の親機操作部２００を使用して所定の再生操作（詳述せず。）を行うと、この操作を検出した玄関子機１の子機ＣＰＵ１１３の制御により子機映像記憶部１０６から読み出された映像（映像圧縮信号）を親機モニタ２０５に出画させて不審者の確認を行うこともできる。
【００７９】
なお、前述までの動作によれば、管理サーバ４のサーバＣＰＵ４０９にて生成された録画要求信号を玄関子機１の子機ＣＰＵ１１３に送信するタイミングとして、玄関子機１が設置された玄関の周囲近傍の映像を録画するにあたり、外部機器３の使用者、当該外部機器からの通報を受信／確認した携帯電話、または携帯情報端末等の使用者、管理サーバ４の使用者による所定の録画要求操作（詳述せず。）が行われた場合について説明したが、このタイミングに限定されるものではない。例えば、前述のように、玄関子機１の子機操作部１００にて呼出操作を行った玄関に居る人物が泥棒等の好ましくない不審者である旨の警報発報を確認した後のタイミングで、この不審者の映像を玄関子機１の子機映像記憶部１０６に記憶（録画）させる場合であってもよい。
【００８０】
本発明のインターホンシステムにおいては、特定の実施の形態をもって説明してきたが、この形態に限定されるものでなく、本発明の効果を奏する限り、これまで知られた如何なる構成のインターホンシステムであっても採用できるということはいうまでもないことである。例えば、単一台の玄関子機１および単一台の居室親機２を１つのユニットとして設けるにあたり、このユニットが複数設けられた場合、管理サーバ４のサーバ無線受信部４０１にて受信される映像信号（映像圧縮信号）は、複数の玄関子機１、１、・・・を所定の時間毎に区切ってスキャン（スキャン受信）するようにしてもよい。
【図面の簡単な説明】
【００８１】
【図１】本発明の実施例によるインターホンシステムの具体的な構成を示すブロック図。
【符号の説明】
【００８２】
１……玄関子機
１０４……カメラ
１０５……圧縮部
１０６……子機映像記憶部（子機記憶部）
１１０……子機無線送信部（無線送信部）
１１１……子機無線受信部（無線受信部）
１１３……子機ＣＰＵ
２……居室親機
２０１……親機スピーカ（報知部）
２０５……親機モニタ（モニタ、報知部）
３……外部機器
４……管理サーバ
４００……サーバ無線送信部（無線送信部）
４０１……サーバ無線受信部（無線受信部）
４０３……サーバ映像記憶部（記憶部）
４０４……顔データ記憶部
４０５……比較部
４０６……サーバスピーカ（報知部）
４０７……サーバモニタ（報知部）
４０８……サーバ送受信部（送受信部）
【図１】
2007208533.tif 000003